(57)【要約】【課題】足場用インサートを外壁に簡単に打ち込み、格別の補修や仕上げを不要とする。【解決手段】外壁の打継部に打ち込まれる長ナットからなるインサート本体２と、インサート本体を外壁に定着するための鋼棒からなる定着部材３と、インサート本体を目地棒６に仮止めするためのプレート材からなる取付部材４から構成される。堰板１１の内側に打継目地を形成するための目地棒６を取り付け、その目地棒にインサート本体２の先端を当接させかつ定着部材３の基端部を下方に向けた状態で取付部材４の先端部を目地棒に仮止めすることで、インサート本体の先端を目地底に開口させる状態で足場用インサート１を打継部に打ち込む。【選択図】      図２
2005009183.tif 000002
【特許請求の範囲】
【請求項１】
建物の施工に施工に際してＲＣ造の外壁に打ち込まれる足場用インサートであって、外壁の打継部に打ち込まれるインサート本体と、インサート本体を外壁に定着するための定着部材と、インサート本体を型枠に対して仮止めするための取付部材からなり、インサート本体は長ナットからなり、定着部材は先端部がインサート本体の後端部に螺着されかつ基端部が下方に折り曲げ加工された鋼棒からなり、取付部材はインサート本体の上部に接着されてその先端部が打継目地を形成するための目地棒に仮止めされるプレート材からなることを特徴とする足場用インサート。
【請求項２】
請求項１記載の足場用インサートを外壁に打ち込むに際し、外壁を形成するための型枠の内側に打継目地を形成するための目地棒を取り付け、その目地棒にインサート本体の先端を当接させかつ定着部材の基端部を下方に向けた状態で取付部材の先端部を目地棒に仮止めすることによって足場用インサートを型枠内に取り付け、型枠内にコンクリートを打設することによって、インサート本体の先端を打継目地の目地底に開口させる状態で足場用インサートを打継部に打ち込むことを特徴とする足場用インサートの施工方法。
【発明の詳細な説明】
【０００１】
【発明の属する技術分野】
本発明は、建物の施工に際して外壁に打ち込まれる足場用インサートおよびその施工方法に関する。
【０００２】
【従来の技術】
周知のように、ＲＣ造の建物の施工に際して外壁に面して足場を設ける場合、足場の転倒を防止するために壁繋ぎ材によって外壁に連結する必要があり、そのため、外壁の施工に際しては壁繋ぎ材を取り付けるためのインサートを打ち込む必要がある。そのような足場用のインサートしては各種のものが提案されており、たとえば特許文献１には、外壁を形成するための型枠に貫通孔を設けて、その内側に可撓係止片を有する支持部材を配するとともに、型枠の外側にはバネにより押圧されるワッシャを設け、それら可撓係止片とワッシャとにより型枠を狭持した状態で取り付けるようにした足場用インサートが開示されている。
【０００３】
【特許文献１】
実開平６−３５５０８号公報
【０００４】
【発明が解決しようとする課題】
従来のこの種の足場用インサートは、型枠を挿通する状態で取り付けられるものであることから、足場用インサートを型枠に取り付ける際には型枠に貫通孔を設ける必要があり、その位置決めも含めて取り付け作業が面倒であった。また、足場を解体した後には足場用インサートを隠蔽するための補修と仕上げが必要となるが、そのような補修や仕上げは必ずしも容易に行い得るものではなく、ときとして痕跡が残ってしまうことがあった。
【０００５】
上記事情に鑑み、本発明は型枠に対して極めて簡単に取り付けることができ、しかも格別の補修や仕上げを必要としない足場用インサートおよびその施工方法を提供することを目的とする。
【０００６】
【課題を解決するための手段】
請求項１の発明は、建物の施工に施工に際してＲＣ造の外壁に打ち込まれる足場用インサートであって、外壁の打継部に打ち込まれるインサート本体と、インサート本体を外壁に定着するための定着部材と、インサート本体を型枠に対して仮止めするための取付部材からなり、インサート本体は長ナットからなり、定着部材は先端部がインサート本体の後端部に螺着されかつ基端部が下方に折り曲げ加工された鋼棒からなり、取付部材はインサート本体の上部に接着されてその先端部が打継目地を形成するための目地棒に仮止めされるプレート材からなることを特徴とする。
【０００７】
請求項２の発明は、請求項１の発明の足場用インサートを外壁に打ち込むに際し、外壁を形成するための型枠の内側に打継目地を形成するための目地棒を取り付け、その目地棒にインサート本体の先端を当接させかつ定着部材の基端部を下方に向けた状態で取付部材の先端部を目地棒に仮止めすることによって足場用インサートを型枠内に取り付け、型枠内にコンクリートを打設することによって、インサート本体の先端を打継目地の目地底に開口させる状態で足場用インサートを打継部に打ち込むことを特徴とする。
【０００８】
【発明の実施の形態】
図１は本発明の一実施形態である足場用インサート１の概略構成を示す斜視図であって、この足場用インサート１は、インサート本体２と、定着部材３と、取付部材４から構成されている。
【０００９】
インサート本体２は足場組み立ての際に壁繋ぎ材を連結するためのもので、本実施形態では長ナットを採用している。長ナットとしては適宜のもので良いが、たとえば汎用の４分ナット、長さ４０ｍｍのものが好適に採用可能である。
【００１０】
定着部材３はインサート本体２を外壁中に確実強固に定着するためのもので、本実施形態では鋼棒を採用している。定着部材３としての鋼棒としては所望の定着強度が確保できるものであれば適宜のもので良いが、図示例のもののように先端部がインサート本体２の後端部に螺着され基端部が下方に折り曲げ加工されたものが好適であり、そのような鋼棒としてはたとえば汎用の４分セパレータを折り曲げ加工したものが好適に採用可能であり、必要に応じてその基端部に定着ナット５を螺着しておくと良い。なお、定着部材３をインサート本体２に螺着した後には、定着部材３が不用意に回転してしまうことのないようにインサート本体２の後部を機械的に潰してかしめると良い。
【００１１】
取付部材４はこの足場用インサート１を目地棒６に対して仮止めするためのもので、本実施形態では金属板の小片等のプレート材が採用されている。この取付部材４は、インサート本体２の上面に接着されて取り付けられ、その先端部はインサート本体２よりも前方に延出しており、そこにはねじ穴８が形成されているとともに、最先端部が下方に折り曲げられて係止部９が形成されている。取付部材４の素材としてはたとえばトタン板の小片（寸法は４０ｍｍ×６０ｍｍ程度、肉厚が０．３５ｍｍのもの）が好適に採用可能であるが、コンクリート打設時に折れたり外れてしまうことのないように充分な強度を有するものであれば樹脂等の他の素材のものも採用可能である。
【００１２】
上記構成の足場用インサート１は外壁施工に際してその打継部に打ち込まれるものであり、その施工方法を図２〜図５を参照して説明する。すなわち、外壁形成用の型枠としての堰板１１には、打継部に打継目地を設けるために目地棒６を取り付けておき、その目地棒６にインサート本体２の先端を当接させた状態で、取付部材４の最先端部の係止部９を目地棒６と堰板１１との間に差し込むとともに、ねじ孔８にねじ１３をねじ込んで取付部材４を目地棒６に仮止めし、これにより足場用インサート１を打継部の内側に配置する。
【００１３】
その状態で堰板１１の内側に目地棒６の上面のレベルまでコンクリートを打設して足場用インサート１をコンクリート中に埋設し、養生後に堰板１１を撤去する。足場の組み立てに際しては、図５に示すように足場用インサート１の前部にある目地棒６を切除してインサート本体２の先端を打継目地１２の目地底に露出させ、それに壁繋ぎ材１４を連結する。なお、目地棒６を切除する際には、それにねじ止めされている取付部材４も一緒に撤去すれば良いが、取付部材４を必要に応じて折り曲げる等の処理をして残置しても良い。取付部材４を撤去する場合には、インサート本体２に接着されているだけなので、ハンマー等により殴打することで容易に剥離させて撤去することができるし、折り曲げて残置する場合も薄いプレート材であるので容易に折り曲げることができる。
【００１４】
図５に示すように上階にコンクリートを打ち継いでいき、外壁の仕上げに際しては足場を解体しつつ目地棒６を全て撤去し、適宜の目地材を充填する等して打継目地１２を完成させる。
【００１５】
本実施形態の足場用インサート１は、外壁の打継部に打ち込まれるものであるので、これを打ち込むに際しては従来のように型枠に貫通孔を設けるような必要がなく、堰板１１の内側に取り付けられる目地棒６にねじ止めすることのみで極めて簡単に打ち込むことができる。また、インサート本体２は打継目地１２の目地底に開口する状態で打ち込まれるので、外壁の仕上げに際して打継目地１２に目地材が充填されることで自ずと足場用インサート１は隠蔽されてしまい、したがって格別の補修や仕上げのための作業を必要としないし、従来のように痕跡が残って仕上げを損なうようなこともない。勿論、この足場用インサート１は何等複雑なものではなく汎用の長ナットと鋼棒およびプレート材のみで簡単かつ充分に安価に製作することができる。
【００１６】
なお、以上の実施形態はあくまで一例であって、本発明は上記実施形態に限定されるものでは勿論なく、インサート本体や定着部材、取付部材等の形状、寸法、素材その他の構成、およびそれを用いた外壁施工手順等については、上記で例示した以外にも適宜の設計的変更が可能であることは当然である。
【００１７】
【発明の効果】
請求項１の発明の足場用インサートは、長ナットからなるインサート本体と、鋼棒からなる定着部材と、プレート材からなる取付部材からなり、取付部材を目地棒に仮止めすることで打継部に打ち込む構成であるので、構成が簡単で安価に製作することができ、型枠に対して極めて簡単に取り付けることができ、外壁の仕上げに際して打継目地に目地材を充填することで自ずと隠蔽されてしまうので格別な補修や仕上げを必要としない、という優れた効果を有する。
【００１８】
請求項２の発明の施工方法は、上記の足場用インサートを目地棒に取り付け、インサート本体の先端を打継目地の目地底に開口させる状態で打ち込むようにしたので、型枠に対する取り付けを容易に行うことができるし、打継目地に目地材を充填することのみで足場用インサートを自ずと隠蔽してしまうことができるから、外壁仕上げに際して格別な補修や仕上げを必要としない、という優れた効果を有する。
【図面の簡単な説明】
【図１】本発明の足場用インサートの一実施形態を示す斜視図である。
【図２】同、型枠に取り付けた状態を示す側面図である。
【図３】同、正面図である。
【図４】同、平面図である。
【図５】同、コンクリートに打ち込んだ状態を示す側面図である。
【符号の説明】
１  足場用インサート
２  インサート本体（長ナット）
３  定着部材（鋼棒）
４  取付部材（プレート材）
５  定着ナット
６  目地棒
８  ねじ孔
９  係止部
１１  堰板（型枠）
１２  打継目地
１３  ねじ
１４  壁繋ぎ材
【図１】
2005009183.tif 000003
【図２】
2005009183.tif 000004
【図３】
2005009183.tif 000005
【図４】
2005009183.tif 000006
【図５】
2005009183.tif 000007